(57)【要約】タービン軸の異なる位置に設けられた複数の振動センサのセンサデータ相互間の相関関係性を関係性モデルとして構築しておき、各振動センサの測定データを関係性モデルと比較することによって、異常を検出できる監視装置、方法、及びプログラムが得られる。
2014091956.tif 000002
【特許請求の範囲】
【請求項１】
発電所で用いられる監視装置であって、複数の振動センサと、前記複数の振動センサから得られるセンサ値間の相関関係をモデル化し、関係性モデルとして格納する関係性保存データベースと、前記複数の振動センサで検出され、前記複数の振動センサ間の関係をあらわす検出結果を前記関係性モデルと比較し、前記複数の振動センサ間の関係性を検証し、検証結果を出力する関係性検証モジュールとを有することを特徴とする監視装置。
【請求項２】
更に、前記検証結果に基いて、診断を行なう診断モジュールを有することを特徴とする請求項１記載の監視装置。
【請求項３】
前記複数の振動センサは、タービンの互いに異なる位置に取り付けられることを特徴とする請求項１又は２記載の監視装置。
【請求項４】
前記複数の振動センサは、前記タービンの軸受に取り付けられることを特徴とする請求項３記載の監視装置。
【請求項５】
前記タービンは発電機用タービンであることを特徴とする請求項３又は４記載の監視装置。
【請求項６】
発電所で用いられる監視方法であって、回転軸を備えたタービンに複数の振動センサを設けておき、前記複数の振動センサにおけるセンサデータ相互間の相関関係を関係性モデルとして構築し、前記発電機用タービンの駆動時に前記複数の振動センサから得られる測定データと、前記関係性モデルとを比較して、前記測定データの前記関係性モデルからの乱れを検証することを特徴とする監視方法。
【請求項７】
前記測定データの前記関係性モデルからの乱れを検証した後、前記タービンの回転軸の異常個所を判定することを特徴とする請求項６記載の監視方法。
【請求項８】
前記タービンは発電機用タービンであることを特徴とする請求項６又は７記載の監視方法。
【請求項９】
更に、前記測定データを保存データベースに格納し、格納された測定データを前処理した後、前記関係性モデルと比較することを特徴とする請求項６〜８のいずれか一項に記載された監視方法。
【請求項１０】
前記前処理では、前記測定データを平均化、波長特徴点の抽出が行なわれることを特徴とする監視方法。
【請求項１１】
複数の振動センサからのセンサデータを受けて、前記振動センサの取り付け位置の状態を診断するコンピュータで読み取り可能なプログラムであって、
前記複数の振動センサにおける前記センサデータ相互間の相関関係を関係性モデルとして構築する工程と、
前記複数の振動センサからの測定データを前記関係性モデルと比較する工程と、
前記測定データの前記関係性モデルからの乱れを検証する工程を、前記コンピュータに行なわせることを特徴とするプログラム。
【請求項１２】
前記測定データの前記関係性モデルからの乱れが検証する工程後、前記乱れの生じた振動センサの位置を検出する工程を前記コンピュータに行なわせることを特徴とする請求項１１記載のプログラム。
【発明の詳細な説明】
【技術分野】
【０００１】
本発明は、タービン軸の異常、劣化等を監視する監視装置、方法、及びプログラムに関し、特に、発電機用タービン軸の監視装置、方法、及びプログラムに関する。
【背景技術】
【０００２】
一般に、発電機用タービンは原子力発電所、火力発電所（以下、発電所）等で用いられている関係上、タービンの回転軸に異常、劣化等が生じた場合、重大な事故に繋がる危険性がある。このため、タービンの回転軸の異常、劣化等を監視することは極めて重要である。
また、発電所では、高圧タービンから低圧タービンに至る複数の発電機用タービンの回転軸（タービン軸）が互いに連結され、発電機の回転軸に連結されている。この場合、軸受における異常振動を振動センサにより検出することにより、タービン軸の異常、劣化等を検知する検知する試みが行なわれている。このため、各タービン軸における異常、劣化等を監視するために、各タービン軸の軸受には、複数の振動センサが取り付けられている。
しかしながら、タービン軸が破壊した場合を除いて、確実にタービン軸の異常、劣化等を検知する手法は確立されていないのが実情である。したがって、実際の運用上、発電機の停止或いは分解後の目視や、超音波による非破壊検査の手法によって、タービン軸を監視することが行なわれている。
一方、特許文献１には、タービン発電機の軸振動監視システム及び軸振動監視装置が開示されている。具体的に説明すると、特許文献１は、タービン軸に、当該タービン軸の振動を検出する振動センサを取り付けておき、振動センサの出力が予め定められたトリップ値を越えた場合、タービン発電機の異常と判断する軸振動監視システム及び軸振動監視装置を明らかにしている。更に、特許文献１では、振動センサの出力が、タービン発電機周辺に設けられた電気・機械設備によるノイズの影響を受けやすいため、振動センサからの出力を平均化処理することにより、ノイズの影響を軽減することが提案されている。
【先行技術文献】
【特許文献】
【０００３】
【特許文献１】特開２００９−２８１７３４号
【発明の概要】
【発明が解決しようとする課題】
【０００４】
特許文献１は、タービン発電機に設けられた振動センサの出力を個別に処理すること、即ち、個別にトリップ値或いは閾値と比較し、平均化している。言い換えれば、特許文献１は複数の振動センサの出力を監視することについて全く開示していない。
本発明の課題は、運転中にタービン軸の異常、劣化等を検知できる監視装置、監視方法を提供することである。
【課題を解決するための手段】
【０００５】
しかしながら、発電所等のプラント内では、振動センサの出力を個別に監視しただけでは、発電機用タービン全体のタービン軸の異常、劣化等を検知できないことが判明した。即ち、本発明者等の研究によれば、互いに異なる位置に設けられた複数の振動センサにおける相互の相関関係を監視することによって、タービン軸の異常、劣化等を迅速に検知できることができた。
即ち、本発明の一態様によれば、複数の振動センサと、前記複数の振動センサから得られるセンサ値間の相関関係をモデル化し、関係性モデルとして格納する関係性保存データベースと、前記複数の振動センサで検出され、前記複数の振動センサ間の関係をあらわす検出結果を前記関係性モデルと比較し、前記複数の振動センサ間の関係性を検証し、検証結果を出力する関係性検証モジュールとを有することを特徴とする監視装置が得られる。
本発明の他の態様によれば、回転軸を備えたタービンに、複数の振動センサを設けておき、前記複数の振動センサにおける振動データ相互間の相関関係を関係性モデルとして構築し、前記発電機用タービンの駆動時に前記複数の振動センサから得られる測定データと、前記関係性モデルとを比較して、前記測定データの前記関係性モデルからの乱れを検証することを特徴とする監視方法が得られる。
本発明の別の態様によれば、複数の振動センサからのセンサデータを受けて、前記振動センサの取り付け位置の状態を診断するコンピュータで読み取り可能なプログラムであって、前記複数の振動センサにおける前記センサデータ相互間の相関関係を関係性モデルとして構築する工程と、前記複数の振動センサからの測定データを前記関係性モデルと比較する工程と、前記測定データの前記関係性モデルからの乱れを検証する工程を、前記コンピュータに行なわせることを特徴とするプログラムが得られる。
【発明の効果】
【０００６】
本発明によれば、タービンを停止或いは分解することなく、タービンの運転中に、タービン軸の異常、劣化等を検知することができる。このため、本発明を発電所に適用した場合、発電所の稼動率を上げることができ、また、定期点検の期間を長くすることができる。特に、本発明は、タービン軸の剛性劣化（ひび割れ）や、軸受の磨耗等の検出を可能にする。
【図面の簡単な説明】
【０００７】
図１は、本発明の一実施形態に係るシステムの例を示すブロック図である。
図２は、図１に示されたシステムで実行されるモデル生成モードを説明するためのフローチャートである。
図３は、振動センサ相互の相関関係性の強弱をあらわすフィット値と、振動センサの物理的位置との関係を示すテーブルである。
図４は、本発明の一実施形態で実行される監視モードを説明するためのフローチャートである。
【発明を実施するための形態】
【０００８】
以下、図面を参照して、本発明の実施形態について説明する。
図１を参照すると、本発明に係る監視装置をシステム（ここでは、発電所システム）に適用した例が示されている。
図示された発電所システムは、発電機１１と、複数のタービンを備えている。図１では、３つのタービン（ここでは、第１、第２、及び第３のタービン１３１、１３２、及び１３３と呼ぶ）を設けた場合が例示的に示されている。第３のタービン１３３は高圧蒸気が与えられる高圧タービンであり、他の第２及び第１のタービン１３１、１３２は、高圧タービン１３３に与えられる蒸気よりも低圧の蒸気が与えられる低圧タービンである。尚、本発明は、３つのタービンを備えたシステムに限定されることなく、例えば、４つ以上のタービンを備えたシステム或いは単一のタービンを備えたシステムにも適用できる。
図示された例では、第１のタービン１３１のタービン軸の一端は、発電機１１の回転軸に連結される一方、第１のタービン１３１のタービン軸の他端は、第２のタービン１３２のタービン軸の一端に連結されている。また、第２のタービン１３２のタービン軸の他端は、高圧タービンである第３のタービン１３３のタービン軸の一端に連結されている。第１〜第３のタービン１３１〜１３３のタービン軸の両端には、軸受部が備えられている。
また、発電機１１の回転軸の両端には、第１及び第２の振動センサＳ１及びＳ２が取り付けられ、更に、発電機１１の回転数を検出する回転数センサＲ１も取り付けられている。
更に、第１のタービン１３１のタービン軸両端には、第３及び第４の振動センサＳ３及びＳ４が取り付けられ、第２のタービン１３２のタービン軸両端には、第５及び第６の振動センサＳ５及びＳ６が設けられている。同様に、第３のタービン１３３のタービン軸両端には、第７及び第８の振動センサＳ７及びＳ８が設けられている。各振動センサＳ１〜Ｓ８には、識別番号（ＩＤ）が割り当てられている。  上記した振動センサＳ１〜Ｓ８は、本発明に係る監視装置の一部を構成している。
第１〜第８の振動センサＳ１〜Ｓ８から出力されるセンサ検出値（センサデータ）は、回転数センサＲ１からの出力値と共に、監視モジュール１５に与えられる。監視モジュール１５は、各振動センサＳ１〜Ｓ８からのセンサ検出値を各振動センサＳ１〜Ｓ８のＩＤ、時刻、物理位置、及び計測対象情報等と共に、センサ値保存用データベース１７にセンサ情報として格納させる。
センサ値保存用データベース１７に格納、蓄積されたセンサ情報は、前処理モジュール１９に入力され、当該前処理モジュール１９で、ノイズ等を除去する平均化処理、波形特徴点の抽出処理等が行われ、前処理されたセンサデータは、センサ付随情報保存データベース２１に保存される。尚、ノイズが問題とならないような状況で使用される場合には、前処理モジュール１９は不要であり、この場合、センサ付随情報保存データベース２１も不要である。
図示された例では、前処理モジュール１９で前処理されたセンサデータが関係性検証モジュール２３に入力される。ここで、関係性検証モジュール２３は、複数の振動センサ（ここでは、第１〜第８の振動センサＳ１〜Ｓ８）のセンサデータ相互間の関係性を検証する。即ち、関係性検証モジュール２３には、関係性保存データベース２５が備えられている。当該関係性保存データベース２５は、第１〜第８の振動センサＳ１〜Ｓ８のセンサデータ相互間の相関関係をあらわす過去のセンサ間の関係性を蓄積している。過去のセンサ間の関係性としては、システムが正常に動作している場合における各センサの出力データを用いることが好ましい。
関係性検証モジュール２３における検証結果は、診断モジュール２７に与えられ、異常パターン保存データベース２９に予め格納されている異常パターンと比較される。比較の結果、異常が検出されると、アラーム或いはディスプレイ装置等に報知される。
説明の都合上、図１では、監視モジュール１５、前処理モジュール１９、関係性検証モジュール２３、及び診断モジュール２７をハードウェアとして図示されているが、これらのモジュールは、実際には、コンピュータによって実行可能なプログラムによって構成される。この場合、監視モジュール１５、前処理モジュール１９、関係性検証モジュール２３、及び診断モジュール２７は、これらモジュールにおける動作を実行するためのプログラムを格納するメモリと、これらのプログラムを実行するコンピュータ（ＣＰＵ）によって実現できる。
上記したように、本発明の実施形態は、関係性検証モジュール２３及び関係性保存データベース２５により、複数の振動センサ（ここでは、８個の振動センサ）から出力されるセンサデータ相互間の相関関係性と、正常状態における相関関係性を比較して、センサデータの相関関係性の正常状態における相関関係性からの乱れを検出することにより、タービン軸の異常、劣化等を検出することを特徴としている。
図２及び図３を参照して、上記した点を更に具体的に説明する。
まず、図２を参照すると、関係性保存データベース２５に格納される関係性モデルの生成モード（フェーズ）が示されている。ここでは、関係性モデルの生成モードがコンピュータによって実行可能なプログラムによって実行されるものとして説明するが、ハードウェア回路を用いても実現可能である。図２のステップＦ１−１に示すように、センサデータの収集期間が定義され、収集期間が設定される（ステップＦ１−２）。収集期間が設定されると、ステップＦ１−３において、複数の振動センサＳ１〜Ｓ８から収集期間中、センサデータが取得される。取得されたセンサデータは、関係性検証モジュール２３に含まれているメモリ（図示せず）内に格納される。
続いて、ステップＦ１−４では、関係性検証モジュール２３の動作を実現する検証プログラムの制御の下に、複数の振動センサＳ１〜Ｓ８からのセンサデータ間相互の相関関係を表す関係性モデルが構築される。構築された関係性モデルは、ステップＦ１−５において関係性保存モデル２５に格納される。一方、関係性検証モジュール２３は、ステップＦ１−６に示されているように、複数の振動センサからのセンサデータの相関性の高さを示すフィット値を振動センサ毎に生成する。更に、関係性検証モジュール２３は、各振動センサに対して相関が高い順番に振動センサを並べたテーブルを作成して関係性保存データベース２５に格納して、関係性モデルの作成を終了する。
図３を参照すると、図２に示された処理により作成された関係性モデルの一例が示されている。ここでは、１０個の振動センサが設けられている場合の例が示されている。図３の最上段の列には、フィット値が高いフィット値（１番目）から最も低いフィット値（９番目）まで順に示されている。図３の最左欄には、第１〜第１０の振動センサの番号１〜１０が示されている。ここで、振動センサ１に対して、最も相関関係性の高い振動センサは、フィット値１の欄に示された第４の振動センサであり、以下、第５、９、６、３、８、７、２、１０の振動センサの順に相関関係性が弱くなっている。
同様に、第２の振動センサ２に対して、最も相関関係性の高い振動センサは第６の振動センサ６であり、以下、６、３、５、９、７、４、１、８、１０の順に、第２の振動センサ２に対する相関関係性が弱くなっている。
図３に示された関係性モデルからも明らかな通り、互いに最近接した物理位置にある振動センサのセンサデータが最も相関関係性が高いとは限らず、離隔した位置にある振動センサのセンサデータ同士が最も相関関係性が高い場合があることが分る。
上記した点を考慮して、正常運転時におけるテーブルを作成し、関係性保存データベース２５に格納しておき、このテーブルと、振動センサで得られた検出データと比較することにより、タービン軸に異常、劣化、磨耗等が生じたかどうかをシステムの稼働中に検出できる。
例えば、図３において、振動センサ１に対する相関関係性の１番目の“４”と２番目の“５”とが、“５”及び“４”に入れ替わっていた場合、システムに何等かの異常が発生したことを検出できる。しかし、この状態では、異常の生じた箇所を特定することはできない。異常の生じた箇所を特定するために、相関関係性の乱れと異常パターンとの関係が予め異常パターン保存データベース２９に保存されている。
図４を参照して、生成されたモデルを用いて監視を行なう監視モード（フェーズ）について説明する。図４に示された監視モードは、図１に示された監視モジュール１５、センサ値保存用データベース１７、関係性検証モジュール２３、関係性保存データベース２５、診断モジュール２７、及び異常パターン保存データベース２９を用いて行なわれる。実際には、監視モードは、上記したモジュールで行なわれる動作に対応した動作を実現するプログラムによって実行されるが、ハードウェア回路を用いて実現することも可能である。尚、前処理モジュール１９及びセンサ付随情報保存データベースを必要に応じて使用することも可能である。
図４に示された監視モードは、監視モジュール１５において、各振動センサからセンサ値（検出データ）を取得することによって開始され（ステップＦ２−１）、各振動センサ間の相関性がステップＦ２−２において確認される。この動作は、関係性検証モジュール２３及び関係性保存データベース２５を使用して行なわれる。
ステップＦ２−３において、関係性検証モジュール２３は、各センサからのセンサデータ（即ち、測定データ）間の相関関係性に乱れがないかどうかをチェックする。即ち、図３に示されたテーブルと各振動センサからの測定データが同じ相関関係性を有しているかどうかが、ステップＦ２−３で振動センサ毎に判定される。相関関係性に乱れがない場合（ステップＦ２−３：Ｎｏ）、ステップＦ２−１に戻って、他の振動センサからの測定データが取得される。
一方、ステップＦ２−３で相関関係性に乱れが有ると（ステップＦ２−３：Ｙｅｓ）、関係性検証モジュール２３は、タービン軸に異常が発生したものと判定して、ステップＦ２−４に移行する。ステップＦ２−４では、各振動センサからの測定データの相関性を示すフィット値が生成され、振動センサ毎にフィット値の高い順番に並べた図３に示すようなパターンが作成され、関係性保存データベース２５に格納される。
検出データについてテーブルが作成されると、処理はステップＦ２−５に移行する。ステップＦ２−５では、診断モジュール２７が起動され、異常パターン保存データベース２９に予め蓄積されている異常パターンと、検出データについて作成されたパターンとが比較され、両者間の相違点が抽出される。診断モジュール２７は異常パターンを検出して、タービン軸の撓みの箇所等を指示することによって、処理を終了する。
【産業上の利用可能性】
【０００９】
上記した実施形態は、本発明を発電所に設けられたタービンに適用した場合について説明したが、本発明は何等これに限定されることなく、複数の振動センサを用いた発電所以外のプラントにも同様に適用できる。
以下、本発明の特徴となる事項を付記しておく。
（付記１）複数の振動センサと、前記複数の振動センサから得られるセンサ値間の相関関係をモデル化し、関係性モデルとして格納するデータベースと、前記複数の振動センサで検出され、前記複数の振動センサ間の関係をあらわす検出結果を前記関係性モデルと比較し、前記複数の振動センサ間の関係性を検証し、検証結果を出力するモジュールとを有することを特徴とする監視装置。
（付記２）前記検証結果に基いて、診断を行なう診断モジュールを有することを特徴とする付記１記載の監視装置。
（付記３）前記複数の振動センサは、タービンの互いに異なる位置に取り付けられることを特徴とする付記１又は２記載の監視装置。
（付記４）前記複数の振動センサは、前記タービンの軸受に取り付けられることを特徴とする付記３記載の監視装置。
（付記５）前記タービンは発電機用タービンであることを特徴とする付記３又は４記載の監視装置。
（付記６）回転軸を備えたタービンに、複数の振動センサを設けておき、前記複数の振動センサにおける振動データ相互間の相関関係を関係性モデルとして構築し、前記発電機用タービンの駆動時に前記複数の振動センサから得られる測定振動データと、前記関係性モデルとを比較して、前記測定振動データの前記関係性モデルからの乱れを検証することを特徴とする監視方法。
（付記７）前記測定振動データの前記関係性モデルからの乱れを検証した後、前記タービンの回転軸の劣化の有無を診断することを特徴とする付記６記載の監視方法。
（付記８）前記タービンは発電機用タービンであることを特徴とする付記６又は７記載の監視方法。
（付記９）更に、前記測定振動データを保存データベースに格納し、格納された測定振動データを前処理した後、前記関係性モデルと比較することを特徴とする付記６〜８のいずれか一項に記載された監視方法。
（付記１０）前記前処理では、前記測定振動データを平均化、波長特徴点の抽出が行なわれることを特徴とする監視方法。
（付記１１）複数の振動センサからのセンサデータを受けて、前記振動センサの取り付け位置の状態を診断するコンピュータで読み取り可能なプログラムであって、前記複数の振動センサにおける前記センサデータ相互間の相関関係を関係性モデルとして構築する工程と、
前記複数の振動センサからの測定データを前記関係性モデルと比較する工程と、前記測定データの前記関係性モデルからの乱れを検証する工程を、前記コンピュータに行なわせることを特徴とするプログラム。
（付記１２）前記測定データの前記関係性モデルからの乱れが検証する工程後、前記乱れの生じた振動センサの位置を検出する工程を前記コンピュータに行なわせることを特徴とする付記１１記載のプログラム。
【符号の説明】
【００１０】
１１                    発電機
１３１、１３２、１３３  タービン
Ｓ１〜Ｓ８              振動センサ
Ｒ１                    回転数センサ
１５                    監視モジュール
１７                    センサ値保存用データベース
１９                    前処理モジュール
２１                    センサ付随情報保存データベース
２３                    関係性検証モジュール
２５                    関係性保存データベース
２７                    診断モジュール
２９                    異常パターン保存データベース
この出願は、２０１２年１２月１４日に出願された、日本特許出願第２０１２−２７３４４８号を基礎とする優先権を主張し、その開示の全てをここに取り込む。
【図１】
2014091956.tif 000003
【図２】
2014091956.tif 000004
【図３】
2014091956.tif 000005
【図４】
2014091956.tif 000006
【国際調査報告】
2014091956.tif 000007
2014091956.tif 000008
2014091956.tif 000009
2014091956.tif 000010